(57)【要約】      （修正有）【課題】開口周縁にカール部を有する縦襞付き絞り紙製容器に関して、該カール部と縦襞を有する周壁部間に不必要な平面状の側壁をなくし、紙製容器の強度を高めると共にデザイン的によりすっきりした見栄えの良い紙製容器の提供する。【解決手段】用紙をその中央における容器底部の周辺から多数の縦襞１ａと共に折り起こし、容器胴部に多数の縦襞１ａを形成して連続凹凸状に絞り形成した縦襞絞り紙製容器において、容器の開口周縁の縦襞の凹凸をつぶし或いは押し広げ又は引き延ばして平らにした開口周縁をそのまま丸め込んでカール部１ｂを形成し、紙製容器１の該縦襞状の周壁に続く開口周縁にカール部１ｂを有する縦襞絞り紙製容器である。【選択図】図１
2014205299.tif 000002
【特許請求の範囲】
【請求項１】
雌型２に装着した縦襞絞り紙製容器１に上部ダイ３を用いて該紙製容器の開口周縁の襞部を引き伸ばして平滑にすると共にカール形成ダイ５を用いて該平滑にした紙製容器の開口周縁にカール部１ｂを形成する紙製容器の製造装置であり、
該紙製容器１を装着する雌型２と、
該雌型２の外周には略輪状の輪状部２ｃを有する周縁押え型２ｂがあり、該周縁押え型２ｂは雌型２の外周に沿って軸芯と平行に移動するものであり、
更に上部ダイ３には内部押え型３ａと引き延ばしダイ３ｂを有し、
該内部押え型３ａには紙製容器の縦襞構造と一致した襞状の縦長の多数の溝３ｄを有し、
引き延ばしダイ３ｂには円筒状押え部３ｃを有すると共に該円筒状押え部３ｃは上部ダイ３を雌型２に接した際に雌型２に装着した紙製容器１の突出部１ｃの内周位置に位置するものであり、
雌型２に該紙製容器の開口部方向の突出部１ｃを突出して装着し、該雌型２に上部ダイ３を用いて該内部押え型３ａの溝３ｄと紙製容器１の縦襞１ａとを合わせることにより雌型２内に紙製容器１を固定し、
周縁押え型２ｂを雌型２の外周に沿って軸芯に平行に移動することにより紙製容器の突出部１ｃの縦襞部分を円筒状押え部３ｃと輪状部２ｃとで挟み込むことにより円筒形状であって平滑な面とすることを特徴とする縦襞絞り紙製容器の製造装置。
【請求項２】
周縁押え型２ｂの輪状部２ｃと円筒状押え部３ｃとの間隔が、少なくとも紙製容器１の紙素材程度の厚み或いはこれよりもやや薄い或いはやや厚い程度の間隔を有することを特徴とする請求項１記載の縦襞絞り紙製容器の製造装置。
【請求項３】
上部ダイ３の円筒状押え部３ｃの外周面と周縁押え型２ｂの輪状部２ｃの内周面が平行に形成されていると共にそれぞれ垂線方向の面よりなることを特徴とする請求項１又は２のいずれかに記載の縦襞絞り紙製容器の製造装置。
【請求項４】
上部ダイの円筒状押え部３ｃの外周面と周縁押え型２ｂの輪状部２ｃの内周面がそれぞれ開放方向に傾斜した面により形成されていると共にお互いの面は平行に形成されていることを特徴とする請求項１又は２のいずれかに記載の縦襞絞り紙製容器の製造装置。
【請求項５】
雌型２に装着した縦襞絞り紙製容器１に上部ダイ３を用いて該紙製容器の開口周縁の襞部を引き伸ばして平滑にすると共にカール形成ダイ５を用いて該平滑にした紙製容器の開口周縁にカール部１ｂを形成する紙製容器の製造方法であり、
該紙製容器１を装着する雌型２と、
該雌型２の外周に配置した略輪状の輪状部２ｃを有する周縁押え型２ｂと、
内部押え型３ａと引き延ばしダイ３ｂを有する上部ダイ３とを有し、
内部押え型３ａには紙製容器の縦襞構造と一致した襞状の縦長の多数の溝３ｄを有し、
引き延ばしダイ３ｂには円筒状押え部３ｃを有すると共に該円筒状押え部３ｃは上部ダイ３が雌型２に接した際に雌型２に装着した紙製容器１の突出部１ｃの内周位置に位置するものであり、
雌型２に該紙製容器１の開口部方向の開口部周縁を突出して装着する工程と、
該雌型２に上部ダイ３を用いて該内部押え型３ａの溝３ｄと紙製容器１の縦襞１ａとを合わせることにより雌型２内に紙製容器を固定する工程と、
該紙製容器１の突出部１ｃの内周位置に引き延ばしダイ３ｂの円筒状押え部３ｃを位置させる工程と、
周縁押え型２ｂを雌型２の外周に沿って軸芯に平行に移動することにより紙製容器１の雌型２から突出した突出部１ｃの縦襞部分を円筒状押え部３ｃと輪状部２ｃとで挟み込むことにより円筒形状であって平滑な面とする工程とを含むことを特徴とする縦襞絞り紙製容器の製造方法。
【請求項６】
請求項１乃至４のいずれかに記載の縦襞絞り紙製容器の製造装置により製造したことを特徴とする縦襞絞り紙製容器。
【請求項７】
請求項５に記載の縦襞絞り紙製容器の製造方法により製造したことを特徴とする縦襞絞り紙製容器。
【発明の詳細な説明】
【技術分野】
【０００１】
本発明は、縦襞絞り紙製容器の製造装置及びその製造方法、縦襞絞り紙製容器の発明に関する。
【背景技術】
【０００２】
縦襞絞り紙製容器は食品のほか多種の商品類を収納することのできる容器であり、例えば食品に関してでは例えば菓子類の焼成用容器のとして使用するものの他、多様に使用できるものである。
この場合縦襞が視覚上のよりよいアクセントとなるばかりでなく襞の弾力により内容物を容器内にとどめる作用を有するものである。
【０００３】
特に襞により容器に収納したものが膨らむものであっても、容器が破断することなく弾力をもってその膨らんだ部分をも包み込んで収納することを可能とする。
この様な縦襞絞り容器は例えば薄手の紙を用いた場合には低廉で成形できるばかりでなく大量生産に資するものであり、極めて使い勝手の良い容器の提供ができる。
この様な容器において欠点としては襞により周壁を構成することから、襞が開いてしまうものとなり、開口周縁部分の強度が低く、変形しやすいことである。
【０００４】
このことより縦襞絞り紙製容器の開口周縁にカール部からなるトップカールを有する容器が用いられている。
例えば本発明の発明者が過去に発明した特開２００３−３３５３１６号（特許文献１）及び実用新案登録第３０９３０４４号（特許文献２）、更には特開２００４−１８９３１７号（特許文献３）が存在する。
【０００５】
このトップカールを有する縦襞絞り紙製容器は開口周縁の強度が増し、開口部の変形を防止して容器自体の変形や襞が開いてしまうことによる壁が倒れることよる内容物のこぼれ出等を防止できる反面、周壁部分は襞が開くことにより内容物の膨張など対して膨らんで必要に応じて対応できる極めて有意な縦襞絞り紙製容器の提供を可能とするものである。
【先行技術文献】
【特許文献】
【０００６】
【特許文献１】特開２００３−３３５３１６号
【特許文献２】実用新案登録第３０９３０４４号
【特許文献３】特開２００４−１８９３１７号
【発明の概要】
【発明が解決しようとする課題】
【０００７】
以上の様に、トップカールを有する縦襞絞り紙製容器は、極めて使い勝手がよい反面カール部の成形が難しいものである。
従って、より短時間に大量に製造すると共にきれいなカール部の成形を可能とする縦襞絞り紙製容器の製造装置の発明が望まれているものである。
この場合、例えば特許文献１及び特許文献２に示す構成においては雌型に拡径リングを装着し、該雌型に拡径部を有する雄型を押しつけて縦襞の上部を該拡径部で上部から押しつけて挟み込んで広げ起こすものである。
【０００８】
この場合雄型を雌型に上部から押し込んで縦襞を有する容器のうち特に上部周縁部を押しつけて広げるものとなる。
従って、きれいな成形を可能とする。
反面、この場合においても中には上部から雄型を押し付ける際に襞の部分が雄型に引っ掛かり押し広げられずに押しつぶされてしまうものも出る。
特に大量生産時において、成形速度を上げるとどうしても上部周縁の襞を押し広げられず上方から雄型でつぶしてしまうものもでてしまうものである。
【０００９】
従って、更なる成形の精度を向上させると共に成型速度を高く保てる何らかの製造装置、製造方法及び紙製容器の提供が望まれるものである。
また、特許文献３においても従来の雄雌プレス押し型を用いた従来のプレス成型にて形成するものであり、前記と同様の欠点を有する。
即ち雄型の雌型の形状が一致する場合には襞部分が引っ掛かりやすく、反面両者間に若干の隙間を有するときっちりと密着したプレスができず襞の部分を押し広げきれず或いは平面上の襞部分の押皺ができにくくなってしまうものとなる。
従って係る点に関して、何らかの解決が求められているものである。
【課題を解決するための手段】
【００１０】
係る点に鑑み、請求項１に係る発明を提唱するものであり、雌型に装着した縦襞絞り紙製容器に上部ダイを用いて該紙製容器の開口周縁の襞部を引き伸ばして平滑にすると共にカール形成ダイを用いて該平滑にした紙製容器の開口周縁にカール部を形成する紙製容器の製造装置であり、該紙製容器を装着する雌型と、該雌型の外周には略輪状の輪状部を有する周縁押え型があり、該周縁押え型は雌型の外周に沿って軸芯と平行に移動するものであり、更に上部ダイには内部押え型と引き延ばしダイを有し、該内部押え型には紙製容器の縦襞構造と一致した襞状の縦長の多数の溝を有し、引き延ばしダイには円筒状押え部を有すると共に該円筒状押え部は上部ダイを雌型に接した際に雌型に装着した紙製容器の突出部の内周位置に位置するものであり、雌型に該紙製容器の開口部方向の突出部を突出して装着し、該雌型に上部ダイを用いて該内部押え型の溝と紙製容器の縦襞とを合わせることにより雌型内に紙製容器を固定し、周縁押え型を雌型の外周に沿って軸芯に平行に移動することにより紙製容器の突出部の縦襞部分を円筒状押え部と輪状部とで挟み込むことにより円筒形状であって平滑な面とする縦襞絞り紙製容器の製造装置により前記課題を達成できる。
【００１１】
この場合、請求項２に係る発明のように周縁押え型の輪状部と円筒状押え部との間隔が、少なくとも紙製容器の紙素材程度の厚み或いはこれよりもやや薄い或いはやや厚い程度の間隔を有する縦襞絞り紙製容器の製造装置を用いてもよい。
或いは、請求項３に係る発明のように上部ダイの円筒状押え部の外周面と周縁押え型の輪状部の内周面が平行に形成されていると共にそれぞれ垂線方向の面よりなる縦襞絞り紙製容器の製造装置を用いてもよい。
【００１２】
或いは、請求項４に係る発明のように上部ダイの円筒状押え部の外周面と周縁押え型の輪状部の内周面がそれぞれ開放方向に傾斜した面により形成されていると共にお互いの面は平行に形成されている縦襞絞り紙製容器の製造装置でもよい。
【００１３】
この他、請求項５に係る発明のように、雌型に装着した縦襞絞り紙製容器に上部ダイを用いて該紙製容器の開口周縁の襞部を引き伸ばして平滑にすると共にカール形成ダイを用いて該平滑にした紙製容器の開口周縁にカール部を形成する紙製容器の製造方法であり、該紙製容器を装着する雌型と、該雌型の外周に配置した略輪状の輪状部２ｃを有する周縁押え型と、内部押え型と引き延ばしダイを有する上部ダイとを有し、内部押え型には紙製容器の縦襞構造と一致した襞状の縦長の多数の溝を有し、引き延ばしダイには円筒状押え部を有すると共に該円筒状押え部は上部ダイが雌型に接した際に雌型に装着した紙製容器の突出部の内周位置に位置するものであり、雌型に該紙製容器の開口部方向の開口部周縁を突出して装着する工程と、該雌型に上部ダイを用いて該内部押え型の溝と紙製容器の縦襞とを合わせることにより雌型内に紙製容器を固定する工程と、該紙製容器の突出部の内周位置に引き延ばしダイの円筒状押え部を位置させる工程と、周縁押え型を雌型の外周に沿って軸芯に平行に移動することにより紙製容器の雌型から突出した突出部の縦襞部分を円筒状押え部と輪状部とで挟み込むことにより円筒形状であって平滑な面とする工程とを含む縦襞絞り紙製容器の製造方法を用いてもよい。
【００１４】
これらの場合、請求項６に係る発明のように請求項１乃至４のいずれかに記載の縦襞絞り紙製容器の製造装置により製造した縦襞絞り紙製容器でも、或いは請求項７に係る発明のように、請求項５に記載の縦襞絞り紙製容器の製造方法により製造した縦襞絞り紙製容器を用いてもよい。
【発明の効果】
【００１５】
以上のように構成したことから、まず請求項１に係る発明により、雌型の外周の略輪状の輪状部を有する周縁押え型が雌型の外周に沿って、軸芯と平行に移動するものであり、また引き延ばしダイの円筒状押え部により雌型に装着した紙製容器の突出した開口周縁の突出部分を位置させた上でこの縦襞絞り紙製容器の突出部分を押さえることができる。
特に周縁押え型が雌型の外周に沿って、軸芯と平行に移動することから、紙製容器の突出部分をしたから上方向に引き延ばしつつ押さえることができるものとなる。
【００１６】
従って前記移動により紙製容器の雌型から突出した縦襞部分は上部ダイの円筒状押え部と輪状部に下方から上方への移動に伴って両者間に徐々に挟まれることとなり縦襞状の折り目が引き延ばされ又は押しつぶされて平滑面となって平面状の帯状の襞のない円筒体となる。
この様に構成することにより凹凸の少ない平滑面とすることができることからこの後更にこの突出部分を丸め込んでカール部を形成することを可能とするものとなる。
【００１７】
特に、この周縁押え型が徐々に引き延ばしダイの円筒状押え部の外周位置に移動して間に紙製容器の突出部分を挟み込めると共に紙製容器の本体方向から突出部分方向に移動することによりこの突出部分をつぶしてしまう等の弊害を防止できると共に紙製容器の方体方向から突出部分方向に押す力によりきれいに皺を伸ばして平滑にしやすくできるものとなる。
【００１８】
更に請求項２に係る発明によって周縁押え型の輪状部と円筒状輪状部との間隔を紙製容器の過疎素材程度の厚みを有するものとなることから両者間にきっちりと挟み込むことができ、両者を押し潰して或いは押さえて平滑面とすることができる。
この場合この幅よりもやや薄く構成すればよりきつく挟むことができ、或いはやや幅を広く取った場合でも紙製容器の襞部分を平らにならすことができるものとなる。
【００１９】
次に請求項３に係る発明により、上部ダイの円筒状押え部の外周面と周縁押え型の輪状部の内周面が平行となり、それぞれ垂線方向の面よりなることから、まっすぐに移動して挟み込むことを可能とする。
従ってきれいに挟み込んできれいに皺を伸ばして平滑にしやすくできる。
更に請求項４に係る発明により、垂線状の面に代えて平行な傾斜方向の面によっても同様に平滑な面の製造を可能とするとともに、該紙製容器の開口周縁を開放方向の傾斜した平滑面として形成できるものとなる。
【００２０】
又請求項５に係る発明により、前記のように紙製容器の雌型から突出した縦襞部分を上部ダイの円筒状押え部と輪状部とにより挟み込んで該縦襞状の折り目が引き延ばされ又は押しつぶされて平滑面となって平面状の帯状の襞のない円筒体の製造可能な製造方法の提供ができるものである。
従ってこの方法により縦襞状を有する紙製容器の開口周縁部分を凹凸の少ない平滑面とすることができると共にこの後更にこの突出部分を丸め込んでカール部を形成することを可能とするための紙製容器の襞部分を平滑にする製造方法の提供ができる。
【００２１】
更に請求項６によりこの様な製造装置により製造した縦襞絞り紙製容器の提供を可能とするとともに請求項７に係る発明によりこの製造方法を用いて製造した縦襞絞り紙製容器の提供を可能とする。
【図面の簡単な説明】
【００２２】
【図１】本発明に係る縦襞絞り紙製容器の一例を示す図
【図２】本発明に係る縦襞絞り紙製容器の製造のために用いる雌型の一例を示す図
【図３】図２に示す雌型に縦襞絞り紙製容器を装着した一例を示す図
【図４】本発明に係る縦襞絞り紙製容器の製造のために用いる雌型と上部ダイの一例を示す図
【図５】図４に示す雌型と上部ダイとに縦襞絞り容器を挟み込んだ状態の一例を示す図。
【図６】図５から更に雌型の周縁押え型を移動させた状態の一例を示す図。
【図７】本発明に係る縦襞絞り紙製容器の製造のために用いる雌型と上部ダイの他の一例を示す図
【図８】縦襞絞り紙製容器の開口周縁を平滑にした状態の一例を示す図
【図９】図８に示す縦襞絞り紙製容器に周縁丸め用ダイを用いる一例を示す図
【図１０】周縁丸め用ダイにより縦襞絞り紙製容器の開口周縁の先端部分を丸め込んでいる状態の一例を示す図
【図１１】図１０に示す縦襞絞り紙製容器にカール形成ダイを用いる一例を示す図
【図１２】雌型に装着している開口周縁にカール部を形成した縦襞絞り紙製容器の一例を示す図
【発明を実施するための形態】
【００２３】
まず、図１は本発明により成形される縦襞絞り紙製容器を示す。
本構成に示すようにまず本図１ａに示すように、薄手の紙シートをプレス成型により外周側壁である周壁に縦襞１ａを有する縦襞絞り紙製容器１を成形した後に本発明により該紙製容器の開口周辺にカール部１ｂを成形した図１ｂに示す縦襞絞り紙製容器を成形するものである。
本構成のように縦襞絞り紙製容器１の開口周縁にカール部１ｂを成形することにより、薄手の紙により成形される該容器の開口周縁部分の強度を極めて高くすることができ、該容器の変形を防止できるものとなる。
【００２４】
この様な紙製容器を例えば一つずつ手作りするのも一方法であるが、短時間に大量生産できると共に成形ミスを極力減らし、きれいに成形された紙製容器の提供を可能とすることは極めて重要な要求事項である。
尚、縦襞に関しては波状の縦襞でも角部を有する凹凸形状のものであってもいずれでもよい。
次に係る縦襞絞り紙製容器のきっちりとした大量生産を可能とする製造装置における製造工程を以下に示す。
【００２５】
まず図２に示すような雌型内に縦襞を有する絞り紙製容器即ち図１ａに示す容器を挿入するものであり、本図では雌型２を示す。
該雌型２は、該容器の収納部分の内周側面には縦襞に合致した襞状の縦長の多数の溝２ａを有する。
従って、縦襞を有する絞り紙製容器を雌型２の収納部に入れるとこの溝２ａにきっちりと沿って雌型内に配置できる。
この場合、この雌型２の容器収納部に関しては、底方向が窄まっており、絞り形状に対応した形状となっている。
【００２６】
更に、その底部は空洞状態であり、上部は少なくとも絞り成形した縦襞付きの紙製容器１の上部周縁が収納部から外部方向、例えば本図では上部方向に突出した状態で装着するものである。
又該雌型２の外周には周縁押え型２ｂを有すると共に略円筒状の雌型２と軸芯を一にするように配設しているものである。
この周縁押え型２ｂは雌型２の外周であって、該外周面に沿って、かつ該雌型の軸芯方向であってこの軸に平行に移動可能となっている。
即ち軸芯の方向に沿って移動可能に配置されている。
【００２７】
更にこの周縁押え型２ｂは略輪状の輪状部２ｃを有しており、この輪状部の内周面により縦襞絞り紙製容器１の突出部分を押さえるものである。
従って雌型２の外周部に周縁押え型２ｂを有しており、該雌型２に縦襞絞り紙製容器１を装着した場合、この雌型２の外周部に配設した周縁押え型２ｂを移動させることにより該周縁押え型２ｂの輪状部２ｃ内に雌型２の上部に突出した縦襞絞り紙製容器１の突出部分を位置させることができるものである。
【００２８】
図３は、雌型２の容器収納部に縦襞絞り紙製容器１を配置した一例を示す図である。
この様に配置することにより雌型２の収納部の内周側面の縦襞に合致した襞状の縦長の多数の溝２ａに縦襞絞り紙製容器１の縦襞１ａが嵌め込まれることになり、一時的に位置決めが可能となる。
雌型２に装着した縦襞絞り紙製容器１は、この容器の開口部方向の近傍に関してこの雌型２から突出した突出部１ｃを有した状態で装着するものである。
尚、雌型２の外周には雌型２に沿って移動する輪状部２ｃを有する周縁押え型２ｂを有する。
【００２９】
図４は、図３の状態から、内部押え型３ａと引き延ばしダイ３ｂとからなる上部ダイ３が容器方向に移動し、内部押さ型３ａで縦襞絞り紙製容器をきっちりと静止させた上で、引き伸ばしダイ３ｂには雌型２から上部に突出した縦襞絞り紙製容器１の突出部１ｃの内側に位置する円筒状の押え部３ｃを有する。  
この引き延ばしダイ３ｂの該円筒状の押え部３ｃは、その外周面が雌型に装着した紙製容器１の突出部１ｃの内周面に位置するものとなり、縦襞を有する容器１の内径よりやや小径から、襞を伸ばした状態の紙製容器の内径の間の径を有していればよい。
【００３０】
従って上部ダイ３を設置することにより紙製容器１の突出部１ｃの内周部分にこのダイの円筒状押え部３ｃが位置するものとなる。
この場合この押え部３ｃの幅は、この雌型２に装着した紙製容器１の雌型２から上部に突出している突出部１ｃの幅と同程度が望ましいが、この紙製容器１の突出部１ｃの幅よりも太い幅を有するものであってもよい。
尚、内部押え型３ａは縦襞絞り紙製容器１の内側に移動設置するものであり、該内部押え部はその外周部分は紙製容器の縦襞１ａ形状に合致した襞状の縦長の多数の溝３ｄを有する。
【００３１】
従って、雌型２の収納部に装着した紙製容器１を更に内側から押さえることができ、それぞれの合致する襞状の縦長の溝を有するものであって、該溝にはまった紙製容器の縦溝１ｃに合致するものであり、きっちりと押さえて固定することができる。
【００３２】
図５は、上部ダイ３を用いて紙製容器１を押さえこんだ状態の一例を示す図である。
本図のように上部ダイ３の内部押え型３ａと雌型２によりきっちりと紙製容器１を挟み込まれるものとなる。
更に雌型２から突出した紙製容器の突出部１ｃがあり、その内周方向には円筒状押え部３ｃが位置するものである。
もとよりこの様にした場合の紙製容器１の突出部１ｃは縦襞１ａを有するものである。
【００３３】
更に図６は、この状態から周縁押え型２ｂを移動して周縁押え型２ｂの輪状部２ｃを紙製容器１の雌型２から突出した突出部１ｃ部分方向に移動するものである。
この移動により紙製容器１の雌型２から突出した突出部１ｃの縦襞部分は上部ダイ３の円筒状押え部３ｃと輪状部２ｃに挟まれることとなる。
この両者の間隔は少なくとも紙製容器１の紙素材程度の厚み或いはこれよりもやや薄い或いはやや厚い程度の間隔を有するものであり、即ち紙製容器１の紙の厚みよりもやや短い長さの間隔か或いは同程度乃至やや長い長さの間隔をもって設置されているものである。
【００３４】
従って、両者に挟まれることにより縦襞状の折り目が引き延ばされ又は押しつぶされて平滑面となって平面状の帯状の襞のない円筒体となる。
もとより例えば、皺を生じることはあるものであり、若干の凹凸などは当然生ずるが、もとより折り目がきっちりと付いた縦襞状の部分はなくなりほぼ曲面からなる平滑な略平面状となる。
【００３５】
この場合、周縁押え型はその輪状部を雌型方向から紙製部材の突出部分方向に移動するものであり、この移動に伴って縦襞部分を徐々に押し広げて進むものであり、特に容器の本体方向から開口部方向にむけて移動するものであることによって、紙製容器の縦襞を押し広げて形作ることを可能とする。
従って紙製容器１を押さえている方向から周縁部方向に向かって力を加えていくことができるものであり、容器の形を崩さず、即ち容器自体の周壁部分を押しつぶして容器をつぶしてしまうことなくきれいに縦襞を伸ばせるものとなる。
【００３６】
尚、上部ダイ３の円筒状押え部３ｃの外周面と周縁押え型２ｂの輪状部２ｃの内周面は若干の間隔をあけて同一面を有するものであるが、この面は例えば直立状即ち垂線方向の面であって両者が平行した面とすることに限らず、それぞれ垂線方向に対してやや傾斜すると共に両者平行に形成した面からなるものであってもよい。
即ち上部方向である開口部方向がやや開いた形状即ち開口部方向を若干太径となした所謂開放方向に傾斜したものであってもよい。
【００３７】
図７は、一例として上部ダイ３が内部押え型３ａと引き伸ばし用の円筒状押え部３ｃを有するダイ３ｂと別々で構成されている他の例を示すものであり、この様に異なる部材として用いてもよい。
例えばこの引き延ばし工程に続くカール部作製工程においても紙製容器１の雌型２への装着設置位置のずれなどを防止するために内部押さえ台をこの工程だけでなく次に続く次工程等でもこのまま使用するものでもよい。
本図は一例としてこれを示すものである。
【００３８】
図８は、引き伸ばし用の上部ダイ３を取り外した状態の一例を示す図である。
この上部ダイ３により雌型２に装着した縦襞絞り紙製容器１の容器中央部から底方向は縦襞付き状態を維持しつつ、雌型より外部に突出している紙製容器の開口部周辺部である突出部１ｃは押し潰され、引き伸ばされるものとなる。
即ち突出部１ｃは縦襞状の折り目が引き延ばされ又は押しつぶされて平面状の帯状・筒状の襞のない円筒体となる。
【００３９】
従ってこの平面部分をもってこの後にカール部の成形を簡単かつ可能とするものとなる。
特に縦襞状では、折り目の存在及び折り目の強度によってカール部のための巻き込みが妨害されてしまうものであり、旨く丸めこむことができず、カール部の形成を困難にするものである。
しかし、この様に平滑状の筒状・帯状とすることによりカール部の形成を容易化するものとなる。
従って特に折り目等をきれいに伸ばし或いは皺を持って平面状にプレスできるものとなり、きれいなカール部の形成を可能とする。
【００４０】
図９は、更にカール部成型のために縦襞絞り紙製容器の開口部の周縁部分に巻き込み形状を作るための周縁丸め用ダイ４を用いる一例を示す図である。
図８に示す紙製容器１のように周縁に亘る開口周辺部を平面状の帯状の襞のない円筒体に形成したことにより更にカール部形成のための周縁部をまず丸めるための巻き込み形状に形成するものである。
即ち丸めこんで丸くカールさせるものではあるが、一の工程で一定の幅を有する開口部周辺を巻き込むことは、困難性を伴うものである。
【００４１】
即ち力の入れ具合や紙の状態、ここまでの工程における平面の出来具合等の種々の要素更には湿度或いは温度なども関連して一工程で少なくとも一重以上に巻き込むカール部を形作ることは難しいものであり、巻き込み不良を生じてしまう恐れがあるものである。
特に高速度で大量生産する際には、この巻き込み不良が多数出る可能性が高まってしまう。
【００４２】
そこで、特にまず紙製容器の開口部の周縁部のみをまず巻き込み形状に形作る工程を経て、更に次工程でこの巻き込み形状を用いて更にきれいに一重以上に巻き込んでカール部を成形する工程を行うものである。
これによりカール部の成形をよりきれいにかつ確実に行うことができ、高速度による大量生産にも資するものである。
【００４３】
図９に示す例は周縁丸め用ダイ４を用いる一例であり、内部押え型と更に紙製容器の該周縁の先端部を丸めるための先端丸め用の溝４ａを有する。この場合この先端丸め用の溝は突出部１ｃの周縁部分が該溝４ａに達し、該端部部分のみを丸め込むものである。
図１０は、周縁丸め用ダイ４を用いてプレスし、先端部分を丸め込んでいる状態の一例を示す図である。
【００４４】
この様にすることにより周縁の先端部分を確実かつきれいに巻き込むことができる。
更に図１１に示すようにカール形成ダイ５を用いて紙製容器の突出部１ｃの開口部周縁の該先端部のみ丸めこんである部分を更に雌型２から突出している平面状の帯状の襞のない円筒体部分を更に丸め込んで少なくとも一重以上の巻き込みを行ってカール部１ｂを形成するものである。
【００４５】
従ってカール成形ダイ５にはカール成形用溝５ａを有していると共に該溝の位置は内部押え型の近傍に有しているものである。
更にカール成形の便宜のために該カール成形ダイ５を用いて紙製容器をプレスした際に、該カール成形用溝５ａに対応してその対向位置である周縁押え型２ｂの上面にはカール成形用押え型溝２ｄを有する。
【００４６】
これにより両溝の内部において周縁部が丸め込まれてカール部を成形することができる。
例えばこの両溝によって構成される内部空間は円形であると周縁部の丸め込みをより容易にできる。
尚、紙製容器のずれ防止のために本図においてはその一例として前記と同様に内部押え型を有する。
【００４７】
図１２は、更にカール成形ダイ５を外して雌型２内にカール部１ｂを有する縦襞絞り紙製容器１が出来上がった状態の一例を示す。
本図のようにきっちりときれいなカールを成形できるものとなり、カール部１ｂを有する縦襞絞り紙製容器の製造を行えるものである。
【符号の説明】
【００４８】
１      紙製容器
１ａ    縦襞
１ｂ    カール部
１ｃ    突出部
２      雌型
２ａ    溝
２ｂ    周縁押え型
２ｃ    輪状部
２ｄ    カール成形用押え型溝
３      上部ダイ
３ａ    内部押え型
３ｂ    引き延ばしダイ
３ｃ    円筒状押え部
３ｄ    溝
４      周縁丸め用ダイ
４ａ    溝
５      カール形成ダイ
５ａ    カール成形用溝
【図１】
2014205299.tif 000003
【図２】
2014205299.tif 000004
【図３】
2014205299.tif 000005
【図４】
2014205299.tif 000006
【図５】
2014205299.tif 000007
【図６】
2014205299.tif 000008
【図７】
2014205299.tif 000009
【図８】
2014205299.tif 000010
【図９】
2014205299.tif 000011
【図１０】
2014205299.tif 000012
【図１１】
2014205299.tif 000013
【図１２】
2014205299.tif 000014